(57)【要約】【課題】カートフレームが積載ユニットを支持している状態において、積載ユニットがカートフレームに係止されていない状態を維持することができる手押し車の積載ユニット用コネクタを提供すること。【解決手段】積載ユニット（２）及びカートフレーム（１０）にそれぞれ固定され、且つ互いに連結することができる第１のコネクタ手段（１２）と第２のコネクタ手段（１１）とを有し、第１のコネクタ手段には、第２のコネクタ手段が該第１のコネクタ手段に連結された場合、第２のコネクタ手段を係止しない解放位置から係止する係止位置まで切り替えることができる係止ユニット（１３）が取り付けられており、第２のコネクタ手段には、係止ユニットが解放位置に切り替えられると、該解放位置に係止して解放状態を維持させる係止面（１２６）を有することを特徴とする手押し車の積載ユニット用コネクタを提供する。【選択図】図２
2011240924.tif 000002
【特許請求の範囲】
【請求項１】
手押し車のカートフレームに積載ユニットを取外し可能に連結するためのコネクタであって、
前記積載ユニット及び前記カートフレームにそれぞれ固定され、且つ、互いに連結することができる第１のコネクタ手段と第２のコネクタ手段とを有し、
また、前記第１のコネクタ手段には、該第１のコネクタ手段に連結されている前記第２のコネクタ手段を係止することができる係止位置と、前記第２のコネクタ手段を係止しない解放位置との間で切り替えられる係止ユニットが取り付けられており、
前記第２のコネクタ手段には、前記第２のコネクタ手段が前記第１のコネクタ手段に連結された場合において、前記係止ユニットが前記係止位置から離れると、係止ユニットを案内してから前記解放位置で係止することができる案内面及び係止面が形成されており、
この構成により、前記係止ユニットは、前記積載ユニットが前記カートフレームに連結されたままで前記第２のコネクタ手段を係止しない解放位置に維持することができることを特徴とする手押し車の積載ユニット用コネクタ。
【請求項２】
カートフレームと該カートフレームから取り外し可能な積載ユニットとを有する手押し車に用いられて前記積載ユニットを前記カートフレームに連結する手押し車の積載ユニット用コネクタであって、
前記積載ユニットに固定されることができる第１のコネクタ手段と、前記カートフレームに固定されることができる第２のコネクタ手段と、を有し、且つ、前記第１のコネクタ手段及び前記第２のコネクタ手段がそれぞれ前記積載ユニット及び前記カートフレームの所定位置に固定された場合、前記積載ユニットが前記カートフレームに積載されると、前記第１のコネクタ手段が前記第２のコネクタ手段を収容することができるように構成されており、
また、前記第１のコネクタ手段は、
前記積載の際、前記第２のコネクタ手段を収容することができるように形成された収容体と、
前記収容体に取り付けられていると共に、前記第２のコネクタ手段が前記収容体に収容されると、該第２のコネクタ手段を自動的に係止することができるように配置構成されている係止ユニットとを備えており、
前記第２のコネクタ手段は、
前記収容体には収容されうる挿入ユニットがあって、該挿入ユニットは表面と該表面の反対面である裏面と、該表面と裏面とを繋ぐ側面とを有する扁平状に形成されていると共に、
前記挿入ユニットの先端部の両側のいずれにも、前記裏面側から前記側面側まで延伸する案内面と、前記表面側にある係止面とが形成されており、
前記係止ユニットは、更に、
該係止ユニットから前記収容体側へ延伸していると共に、前記収容体内に収容されている前記第２のコネクタ手段の先端部を両側から弾性的に挟むことができるように配置構成されている一対のサポーターアームを有しており、
前記案内面と前記係止面と前記サポーターアームとは、
前記第２のコネクタ手段が前記収容体内に収容されると、前記係止ユニットにより自動的に係止されると共に、前記サポーターアームで前記案内面に当接するようになり、また、前記係止ユニットが前記第２のコネクタ手段を係止している係止位置から離れると、前記サポーターアームが、前記案内面により前記表面側の前記係止面に当接して係止されるように案内されることができるように配置構成されていることを特徴とする手押し車の積載ユニット用コネクタ。
【請求項３】
前記サポーターアームは、可撓性を有し、且つ、前記係止ユニットが前記係止位置から前記解放位置に切り替えられる途中で変形し、前記係止面に当接して係止される状態になると元の形状に戻ることができるように配置構成されていることを特徴とする請求項２に記載の手押し車の積載ユニット用コネクタ。
【請求項４】
前記係止ユニットは、前記係止位置と前記解放位置との間に回動可能に枢接されていると共に、常に前記解放位置の方から前記係止位置の方へ付勢されていることを特徴とする請求項２または請求項３に記載の手押し車の積載ユニット用コネクタ。
【請求項５】
前記係止ユニットは係止アームを有するように形成されており、
前記第２のコネクタ手段は、前記係止アームに係止されることができる係止孔を有するように形成されていることを特徴とする請求項４に記載の手押し車の積載ユニット用コネクタ。
【請求項６】
前記サポーターアームは、前記係止ユニットの前記収容体に枢接されている位置近くの前記係止アーム側の位置に突設されていることを特徴とする請求項５に記載の手押し車の積載ユニット用コネクタ。
【請求項７】
前記第２のコネクタ手段の前記先端部は、先端面と、前記先端面から突出している中央突起と、前記中央突起の両側端からそれぞれ張り出しながら前記先端面から突出している２つの突出タブと、を有するように形成されており、
前記案内面は前記２つの突出タブの前記裏面側から前記中央突起から離れた端面まで延伸し、前記係止面は前記２つの突出タブの前記表面側にあることを特徴とする請求項６に記載の手押し車の積載ユニット用コネクタ。
【請求項８】
前記第１のコネクタ手段の前記収容体は、
下方向きの第１の開口を有して前記挿入ユニットを受け入れる収容空間を囲むように形成されているフェンスと、
前記係止ユニットの前記サポーターアームを前記収容空間内に受け入れることができるように前記フェンスに開けられている第２の開口と、
前記係止ユニットの前記係止アームを前記収容空間に受け入れることができるように前記フェンスに開けられている第３の開口と、を有し、
前記係止ユニットの前記係止アームは、前記第３の開口を経由し、前記収容体内に収容されている前記第２のコネクタ手段の前記係止孔に挿し込まれ前記第２のコネクタ手段を係止することができるように配置構成されていることを特徴とする請求項７に記載の手押し車の積載ユニット用コネクタ。
【請求項９】
前記第２のコネクタ手段は、上端に支持面が形成されたベース部を有し、
また、前記挿入ユニットは、前記支持面の中央当りに突設されている上、前記第１の開口を経由して前記収容体に収容されると、前記支持面で前記第１の開口の開口縁に当接して前記第１のコネクタ手段を下から支持することができるように構成されていることを特徴とする請求項８に記載の手押し車の積載ユニット用コネクタ。
【請求項１０】
前記一対のサポーターアームは、先端に互いに向き合うように突設されている２つのカム接触子で、前記収容体内に収容されている前記挿入ユニットが有する前記案内面と当接し、前記係止ユニットが収容状態で前記係止位置から離れると、まず前記案内面により案内され、前記係止ユニットが前記案内で前記解放位置に至ると、前記係止面と当接して係止されることができるように構成されていることを特徴とする請求項９に記載の手押し車の積載ユニット用コネクタ。
【請求項１１】
左右一対のサイドフレームを有し、且つ、請求項１または請求項８に記載の手押し車の積載ユニット用コネクタを用いて、幼児を載せるベッドユニットを前記積載ユニットとして前記一対のサイドフレームに連結することができるように構成されることを特徴とするベビーカー。
【請求項１２】
前記第１のコネクタ手段と前記第２のコネクタ手段とをそれぞれ一対有しており、該一対の前記第１のコネクタ手段は前記ベッドユニットの両側に固定され、該一対の前記第２のコネクタ手段は前記左右一対のサイドフレームにそれぞれ枢接されている上、垂直方向と略一致する上向き姿勢と水平方向と略一致する横向き姿勢と、垂直方向と略一致する下向き姿勢との間で切り替えることができるように構成されていることを特徴とする請求項１１に記載のベビーカー。
【請求項１３】
前記第２のコネクタ手段は、何れも前記サイドフレームの表面から常に突出するように付勢され、且つ押圧されると前記サイドフレームの表面に没入するように配置構成されている２つの係止ピンと、該２つの係止ピンを受け入れることができるように前記第２のコネクタ手段に設けられているピン孔とにより、前記２つの係止ピンがそれぞれ前記ピン孔にはめ込まれると、前記上向き姿勢または前記横向き姿勢にそれぞれ一時固定され、また、前記２つの係止ピンのどちらも前記ピン孔にはめ込まれないと、前記下向き姿勢になるように構成されていることを特徴とする請求項１２に記載のベビーカー。
【発明の詳細な説明】
【技術分野】
【０００１】
本発明は手押し車の積載ユニット用コネクタ及び該コネクタで積載ユニットを連結したベビーカーに関し、特に、手押し車のカートフレームに積載ユニットを取外し可能に連結するためのコネクタ及び該コネクタで積載ユニットを連結したベビーカーに関する。
【背景技術】
【０００２】
従来のベビーカーとして、幼児を寝かせるベッドユニットが手押しカートフレームから取り外し可能なものが市販されており、このようなベビーカーは左右一対の自動ロック装置を利用してベッドユニットをカートフレームに固定する構成になっている。この一対の自動ロック装置は、使用者が操作スイッチを切り替えることによって解除されるが、使用者が操作スイッチを解除位置に保持しなければ、再び係止位置に戻ってベッドユニットを係止するので、使用者がベッドユニットをカートフレームから取り外すとき、必ず一対の自動ロック装置を共に解除すると同時に、ベッドユニットを取り上げなければならず、とても不便である。
【０００３】
また、ベッドユニットを保持するための直立位置と収束されるための横倒れ位置との間で切り替えられるように、枢接によりロック装置を構成したタイプもあるが、このタイプでは、ベッドユニットを前記横倒れ位置で使用するとき、誤ってベッドユニットがカートフレームにロックされていない状態で使用したり、前記横倒れ位置の強度が足りない姿勢で使用してしまうことにより、ロック装置を折ってしまったりし、非常に危険である。
【０００４】
このタイプでは、ベッドユニットを誤って収束されるための横倒れ位置に切り替えたロック装置に置いてしまうことにより、ロック装置を折ってしまったりし、非常に危険である。
【発明の概要】
【発明が解決しようとする課題】
【０００５】
上記問題点に鑑みて、本発明は手押し車の積載ユニット用コネクタを改良し、そのカートフレームが積載ユニットを支持している状態において、積載ユニットがカートフレームに係止されてない状態に維持することができるコネクタ及び該コネクタで積載ユニットを連結したベビーカーの提供を目的とし、即ち、使用者がベッドユニットをカートフレームから取り外そうとするとき、ロックのスイッチを解除位置に取り替えた後、手で支えて保持する必要が無く、片手でロックを１つずつ解除することができる上、楽にベッドユニットを取り上げることができるといった、便利かつ安全な手押し車の積載ユニット用コネクタ及び該コネクタを用いるベビーカーの提供を目指す。
【課題を解決するための手段】
【０００６】
上記目的を達成すべく、本発明は手押し車のカートフレームに積載ユニットを取外し可能に連結するためのコネクタであって、前記積載ユニット及び前記カートフレームにそれぞれ固定され、且つ、互いに連結することができる第１のコネクタ手段と第２のコネクタ手段とを有し、また、前記第１のコネクタ手段には、該第１のコネクタ手段に連結さている前記第２のコネクタ手段を係止することができる係止位置と、前記第２のコネクタ手段を係止しない解放位置との間に切り替えられる係止ユニットが取り付けられており、前記第２のコネクタ手段には、前記第２のコネクタ手段が前記第１のコネクタ手段に連結された場合において、前記係止ユニットが前記係止位置から離れると、係止ユニットを案内してから前記解放位置で係止することができる案内面及び係止面が形成されており、この構成により、前記係止ユニットは、前記積載ユニットが前記カートフレームに連結されたままで前記第２のコネクタ手段を係止しない解放位置に維持することができることを特徴とする手押し車の積載ユニット用コネクタを提供する。
【０００７】
上記手押し車の積載ユニット用コネクタの具体的な構成について、例えば以下の構成を採用することができる。
【０００８】
カートフレームと該カートフレームから取り外し可能な積載ユニットとを有する手押し車に用いられる前記積載ユニットを前記カートフレームに連結する手押し車の積載ユニット用コネクタであって、前記積載ユニットに固定されることができる第１のコネクタ手段と、前記カートフレームに固定されることができる第２のコネクタ手段と、を有し、且つ、前記第１のコネクタ手段及び前記第２のコネクタ手段がそれぞれ前記積載ユニット及び前記カートフレームの所定位置に固定された場合、前記積載ユニットが前記カートフレームに積載されると、前記第１のコネクタ手段が前記第２のコネクタ手段を収容することができるように構成されており、また、前記第１のコネクタ手段は、前記積載の際、前記第２のコネクタ手段を収容することができるように形成された収容体と、前記収容体に取り付けられていると共に、前記第２のコネクタ手段が前記収容体に収容されると、該第２のコネクタ手段を自動的に係止することができるように配置構成されている係止ユニットと、を備えており、前記第２のコネクタ手段には、前記収容体に収容されうる挿入ユニットがあって、該挿入ユニットは表面と該表面の反対面である裏面と、該表面と裏面とを繋ぐ側面と、を有する扁平状に形成されていると共に、前記挿入ユニットの先端部の両側のいずれにも、前記裏面側から前記側面側まで延伸する案内面と、前記表面側にある係止面と、が形成されており、前記係止ユニットは、更に、該係止ユニットから前記収容体側へ延伸していると共に、前記収容体内に収容されている前記第２のコネクタ手段の先端部を両側から弾性的に挟むことができるように配置構成されている一対のサポーターアームを有しており、前記案内面と前記係止面と前記サポーターアームとは、前記第２のコネクタ手段が前記収容体内に収容されると、前記係止ユニットにより自動的に係止されると共に、前記サポーターアームで前記案内面に当接するようになり、また、前記係止ユニットが前記第２のコネクタ手段を係止している係止位置から離れると、前記サポーターアームが、前記案内面により前記表面側の前記係止面に当接して係止されるように案内されることができるように配置構成されていることを特徴とする手押し車の積載ユニット用コネクタ。
【０００９】
上記手押し車の積載ユニット用コネクタにおいて、前記サポーターアームは、可撓性を有し、且つ、前記係止ユニットが前記係止位置から前記解放位置に切り替えられる途中で変形し、前記係止面に当接して係止される状態になると元の形状に戻ることができるように配置構成されていることが好ましい。
【００１０】
上記手押し車の積載ユニット用コネクタにおいて、前記係止ユニットは、前記係止位置と、前記解放位置との間に回動可能に枢接されていると共に、常に前記解放位置の方から前記係止位置の方へ付勢されていることが好ましい。
【００１１】
上記手押し車の積載ユニット用コネクタにおいて、前記係止ユニットは係止アームを有するように形成されており、前記第２のコネクタ手段は、前記係止アームに係止されることができる係止孔を有するように形成されていることが好ましい。
【００１２】
上記手押し車の積載ユニット用コネクタにおいて、前記サポーターアームは、前記係止ユニットの前記収容体に枢接されている位置近くの前記係止アーム側の位置に突設されていることが好ましい。
【００１３】
上記手押し車の積載ユニット用コネクタにおいて、前記第２のコネクタ手段の前記先端部は、先端面と、前記先端面から突出している中央突起と、前記中央突起の両側端からそれぞれ張り出しながら前記先端面から突出している２つの突出タブと、を有するように形成されており、前記案内面は前記２つの突出タブの前記裏面側から前記中央突起から離れた端面まで延伸し、前記係止面は前記２つの突出タブの前記表面側にあることが好ましい。
【００１４】
上記手押し車の積載ユニット用コネクタにおいて、前記第１のコネクタ手段の前記収容体は、下方向きの第１の開口を有して前記挿入ユニットを受け入れる収容空間を囲むように形成されているフェンスと、前記係止ユニットの前記サポーターアームを前記収容空間内に受け入れることができるように前記フェンスに開けられている第２の開口と、前記係止ユニットの前記係止アームを前記収容空間に受け入れることができるように前記フェンスに開けられている第３の開口と、を有し、前記係止ユニットの前記係止アームは、前記第３の開口を経由し、前記収容体内に収容されている前記第２のコネクタ手段の前記係止孔に挿し込まれ前記第２のコネクタ手段を係止することができるように配置構成されていることが好ましい。
【００１５】
上記手押し車の積載ユニット用コネクタにおいて、前記第２のコネクタ手段は、上端に支持面が形成されたベース部を有し、また、前記挿入ユニットは、前記支持面の中央当りに突設されている上、前記第１の開口を経由して前記収容体に収容されると、前記支持面で前記第１の開口の開口縁に当接して前記第１のコネクタ手段を下から支持することができるように構成されていることが好ましい。
【００１６】
上記手押し車の積載ユニット用コネクタにおいて、前記一対のサポーターアームは、先端に互いに向き合うように突設されている２つのカム接触子で、前記収容体内に収容されている前記挿入ユニットが有する前記案内面と当接し、前記係止ユニットが収容状態で前記係止位置から離れると、まず前記案内面により案内され、前記係止ユニットが前記案内で前記解放位置に至ると、前記係止面と当接して係止されることができるように構成されていることができるように構成されていることが好ましい。
【００１７】
また、上記手押し車の積載ユニット用コネクタの応用例として、本発明は、左右一対のサイドフレームを有し、且つ、上記手押し車の積載ユニット用コネクタを用いて、幼児を載せるベッドユニットを前記積載ユニットとして前記一対のサイドフレームに連結することができるように構成されることを特徴とするベビーカーをも提供する。
【００１８】
上記ベビーカーにおいて、前記第１のコネクタ手段と前記第２のコネクタ手段とをそれぞれ一対有しており、該一対の前記第１のコネクタ手段は前記ベッドユニットの両側に固定され、該一対の前記第２のコネクタ手段は前記左右一対のサイドフレームにそれぞれ枢接されている上、垂直方向と略一致する上向き姿勢と水平方向と略一致する横向き姿勢との間で切り替えることができるように構成されていることが好ましい。
【００１９】
上記ベビーカーにおいて、前記第２のコネクタ手段は、何れも前記サイドフレームの表面から常に突出するように付勢され、且つ押圧されると前記サイドフレームの表面に没入するように配置構成されている２つの係止ピンと、該２つの係止ピンを受け入れることができるように前記第２のコネクタ手段に設けられているピン孔と、により、前記２つの係止ピンがそれぞれ前記ピン孔にはめ込まれると、前記上向き姿勢または前記横向き姿勢にそれぞれ一時固定され、また、前記２つの係止ピンのどちらも前記ピン孔にはめ込まれないと、前記下向き姿勢になるように構成されていることが好ましい。
【発明の効果】
【００２０】
上記構成による本発明は、係止ユニットが係止位置から解除されて解放位置に切り替えられた場合、係止面を利用することで、第２のコネクタ手段が第１のコネクタ手段から離れない限り前記係止ユニットが係止位置に戻ることがなく、解放位置に係止し続けることができるので、使用者は手で係止ユニットを解除位置に保持する必要が無く、片手で係止ユニットを操作して各コネクタの係止状態を１つずつ解除していくことができる上、楽にその積載ユニットを取り上げることもできるので、便利かつ安全な手押し車の積載ユニット用コネクタ及び該コネクタを用いるベビーカーを提供することができる。
【００２１】
更に、本発明は第２のコネクタ手段にサイドフレームの表面に没入するように配置構成されている係止ピンと係止ピンを受け入れることができるように設けられているピン孔を形成し、第２のコネクタ手段を横向き姿勢から下向き姿勢に切り替えることができるように構成することにより、ベッドユニットを支持することが最初から出来ないようになっており、折れることなどの状況も起こり得ないので、従来より安全な手押し車の積載ユニット用コネクタ及び該コネクタを用いるベビーカーを提供することができる。
【図面の簡単な説明】
【００２２】
【図１】本願発明の手押し車の積載ユニット用コネクタを用いるベビーカーの斜視図である。
【図２】本願発明の手押し車の積載ユニット用コネクタの構成が示されている分解図である。
【図３】本願発明の手押し車の積載ユニット用コネクタの係止状態における構造関係が示されている側面断面図である。
【図４】本願発明の手押し車の積載ユニット用コネクタの係止状態における構造関係が示されている一部断面図である。
【図５】本願発明の手押し車の積載ユニット用コネクタの係止状態から解放状態に切り替える途中の構造関係が示されている一部断面図である。
【図６】本願発明の手押し車の積載ユニット用コネクタの係止状態から解放状態に切り替える途中の構造関係が示されている側面断面図である。
【図７】本願発明の手押し車の積載ユニット用コネクタの解除状態における構造関係が示されている一部断面図である。
【図８】本願発明の手押し車の積載ユニット用コネクタの解除状態における構造関係が示されている側面断面図である。
【図９】本願発明のベビーカーのカートフレーム及び直立位置に配置されている第２のコネクタ手段が示されている斜視図である。
【図１０Ａ】本願発明における第２のコネクタ手段の枢接構造が示されている側面図である。
【図１０Ｂ】本願発明における第２のコネクタ手段の枢接構造が示されている側面図である。
【図１１】本願発明における第２のコネクタ手段の枢接構造が示されている斜視図である。
【発明を実施するための形態】
【００２３】
以下は各図面を参照しながら、本発明の好ましい実施形態について説明する。
【００２４】
本発明の手押し車の積載ユニット用コネクタは、カートフレームと該カートフレームから取り外し可能な積載ユニットとを有する手押し車に用いられるものであり、例えば図１に示されているように、カートフレーム１０と該カートフレーム１０から取り外し可能に取り付けられていて、幼児を寝かせることができるベッドユニット２とを有するベビーカーに応用することができ、本実施形態においては、積載ユニットとしてベッドユニット２を用いて説明する。
【００２５】
本発明の手押し車の積載ユニット用コネクタは、互いに連結できるように構成された第１のコネクタ手段１１と第２のコネクタ手段１２とからなり、図示されているように第１のコネクタ手段１１がベビーカーのベッドユニット２の重心の両側の位置に左右１つずつ固定され、そして第２のコネクタ手段１２がカートフレーム１０の左右のサイドフレーム１００の互いに向き合う所定位置に左右１つずつ固定されると、第１のコネクタ手段１１と第２のコネクタ手段１２とを連結することによってベッドユニット２をカートフレーム１０に連結させることができる。
【００２６】
以下は図２及び図３を用いて第１のコネクタ手段１１と第２のコネクタ手段１２との構成について詳しく説明する。
【００２７】
図２は第１のコネクタ手段１１と第２のコネクタ手段１２との構成が示されている分解図であり、図３は第１のコネクタ手段１１と第２のコネクタ手段１２とが連結且つ係止し合っている状態における構造関係が示されている側面断面図である。
【００２８】
図示のように、第１のコネクタ手段１１はベッドユニット２に固定されることができるように構成された固定プレート１１０と、固定プレート１１０と一体的に形成された収容体１１１と、収容体１１１に取り付けられている係止ユニット１３と、からなり、第２のコネクタ手段１２はサイドフレーム１００に取り付けられることができるように構成され、上端に支持面１２０１が形成されているベース部１２０と、支持面１２０１の中央当りから上方へ突出するように形成された挿入ユニット１２１とからなっている。
【００２９】
係止ユニット１３は、枢接孔１３０によって収容体１１１に形成されている枢接壁１１３に回動可能に枢接されており、この回動によって収容体１１から離れて第２のコネクタ手段１２を係止しない解放位置から、収容体１１に接近して第２のコネクタ手段１２を係止することができる係止位置まで揺動して切り替えることができる。
【００３０】
係止ユニット１３は操作プレート１３７と、操作プレート１３７の左右両端縁から収容体１１１の方へ突出するように形成されている２つの側面プレート１３２と、操作プレート１３７の、枢接孔１３０から所定の距離をおいた位置から収容体１１１の方へ突出するように形成されている係止アーム１３４と、側面プレート１３２から収容体１１１の方へ突出するように形成されている一対のサポーターアーム１３１と、該一対のサポーターアーム１３１の先端に、互いに向き合うように突設されてるカム接触子１３３と、を有している。
【００３１】
ちなみに、枢接孔１３０は２つの側面プレート１３２に左右１つずつ形成されており、サポーターアーム１３１は、枢接孔１３０の近くの係止アーム１３４側の位置に突設されている。また、サポーターアーム１３１は可撓性を有している。
【００３２】
更に、係止ユニット１３の枢接孔１３０に対応するように側面サポーター１３２に取り付けられたばね１１４によって、常に前記解放位置の方から前記係止位置の方へ付勢されている。
【００３３】
第２のコネクタ手段１２の挿入ユニット１２１は、表面１２１Ａと、該表面の反対面である裏面１２１Ｂと、該表面１２１Ａと裏面１２１Ｂとを繋ぐ側面１２１Ｃと、を有する扁平状に形成されていると共に、係止アーム１３４に対応して係止されることができる係止孔１２８を有している。
【００３４】
また、挿入ユニット１２１の先端部の先端面１２２と、先端面１２２の中央当りから突出している中央突起１２３と、中央突起１２３の両側端からそれぞれ張り出しながら先端面１２２から突出している２つの突出タブ１２４と、を有するように形成されており、更に、突出タブ１２４はその裏面１２１Ｂ側から側面１２１Ｃ側まで延伸するようになっている案内面１２６と、突出タブ１２４の表面１２１Ａ側にある係止面１２７と、を有している。
【００３５】
収容体１１１は、下方向きの第１の開口１１１Ａを有して第２のコネクタ手段１２の挿入ユニット１２１を受け入れる収容空間１１１０を囲むように形成されているフェンス１１２と、係止ユニット１３のサポーターアーム１３１を収容空間内１１１０に受け入れることができるようにフェンス１１２に開けられている第２の開口１１１Ｂと、係止ユニット１３の係止アーム１３４を収容空間１１１０に受け入れることができるようにフェンス１１２に開けられている第３の開口１１１Ｃと、を有するように形成されている。
【００３６】
第２のコネクタ手段１２のベース１２０部の上端にある支持面１２０１は、第１の開口１１１Ａの開口縁１１０１に当接することにより、第１のコネクタ手段１１及び第１のコネクタ手段１１が固定されているベッドユニット２を下から支持することができる。
【００３７】
係止ユニット１３の係止アーム１３４は、係止ユニット１３が図３に示されている係止位置に切り替えられると、第３の開口１１１Ｃを経由して収容体１１１内に収容されている第２のコネクタ手段１２の係止孔１２８に挿し込まれ、第２のコネクタ手段１２の挿入ユニット１２１を収容空間１１１０に係止することができる。また、係止ユニット１３が図８に示されている解放位置まで揺動すると、係止アーム１３４と係止孔１２８との係止関係が解除されるので、第２のコネクタ手段１２の挿入ユニット１２１は収容体１１１の下方向きの第１の開口１１１Ａから収容空間１１１０を抜け出して第１のコネクタ手段１１から離れることができる。
【００３８】
続いて、図３〜図８を用いて、サポーターアーム１３１と挿入ユニット１２１の先端部との関係について詳しく説明する。
【００３９】
図３及び図４では第１のコネクタ手段１１と第２のコネクタ手段１２との係止状態の構成関係が示されており、上記のように係止ユニット１３は係止位置にあって、係止アーム１３４が係止孔１２８及び挿入ユニット１２１を係止している。また、この係止状態において、一対のサポーターアーム１３１は収容体１１１に形成されている第２の開口１１１Ｂを経由して収容空間１１１０に挿し込まれ、サポーターアーム１３１の先端に形成されているカム接触子１３３は、挿入ユニット１２１の先端部の両側から突出タブ１２４の案内面１２６の裏面１２１Ｂ側にある部分に当接している。
【００４０】
図５及び図６では、第１のコネクタ手段１１と第２のコネクタ手段１２とが係止状態から解放状態に切り替わる途中の状態の構成関係が示されており、図示のように、係止アーム１３４は、係止孔１２８からは離れかけているが、挿入ユニット１２１にはまだ係止している。一方、サポーターアーム１３１は、係止ユニット１３が揺動されると、カム接触子１３３と案内面１２６との接触及び自身が持っている可撓性によって、図５における矢印が示している方向へ湾曲変形しながら、カム接触子１３３が案内面１２６により裏面１２１Ｂ側から側面１２１Ｃまで移動するようになる。更に、この時のカム接触子１３３は案内面１２６との接触により、係止ユニット１３の揺動と共に先端面１２２の突出タブ１２４の表面１２１Ａ側にある係止面１２７へ案内されていく。
【００４１】
図７及び図８では、第１のコネクタ手段１１と第２のコネクタ手段１２との解放状態における構成関係が示されており、図示のように、係止アーム１３４は係止孔１２８から完全に離れており、ベッドユニット２及び第１のコネクタ手段１１を上方へ持ち上げれば簡単に第１のコネクタ手段１１と第２のコネクタ手段１２を分離させることができる。一方、サポーターアーム１３１は、カム接触子１３３が案内面１２６により案内されて案内面１２６から離れ、湾曲する力が加わらなくなるので、接触子１３３が図７における矢印が示している方向へ移動すると共にサポーターアーム１３１の形状は元に戻され、係止面１２７に当接するようになる。更に、この時のカム接触子１３３と係止面１２７の当接により、例えばばね１１４による係止位置（図３参照）の方への付勢力を受けていても、第２のコネクタ手段の挿入ユニット１２１が収容空間１１１０から離れない限り係止ユニット１３が係止位置に戻ることはなく、解放位置に係止し続けている。
【００４２】
このように、本発明は第２のコネクタ手段１２に形成されている挿入ユニット１２１が第１の開口１１１Ａを経由して収容空間１１１０内に深く挿入すると、係止ユニット１３の係止アーム１３４はばね１１４の付勢力により自動的に係止孔１２８に嵌め込まれ挿入ユニット１２１及び第２のコネクタ手段１２を係止する。
【００４３】
一方、係止ユニット１３が操作を受けて第２のコネクタ手段１２を係止する係止位置から離れて解放位置に到達すると、延伸アーム１３１の先端に形成されているカム接触子１３３はばね１１４の付勢力により第２のコネクタ手段１２に形成される係止面１２７に当接するようになり、第２のコネクタ手段１２が第１のコネクタ手段１１から離れない限り係止ユニット１３を解放位置に係止し続けるので、使用者は手で係止ユニット１３の操作プレート１３７をホールドして解除位置に保持する必要が無く、片手で係止ユニット１３を操作してベビーカー１０の各コネクタの係止状態を１つずつ解除していくことができるので、便利かつ安全な手押し車の積載ユニット用コネクタ及び該コネクタを用いるベビーカーを提供することができる。
【００４４】
続いて、図９〜図１１を用いて本発明の第２のコネクタ手段１２の枢接構造について詳しく説明する。
【００４５】
図１及び図９に示されているように、この実施形態における第２のコネクタ手段１２は設置スリーブ１０２を介してベビーカー１０の各サイドフレーム１００に取り付けられているが、ベース部１２０は設置スリーブ１０２に回動可能に枢接されている。
【００４６】
図１０及び図１１に示されているように、ベース部１２０は枢接軸１２０３を介して設置スリーブ１０２に枢接されている。この他、設置スリーブ１０２の表面には常に表面から突出するように付勢され、且つ押圧されると設置スリーブ１０２の表面に没入するように配置構成されている第１の係止ピン１０２０と第２の係止ピン１０２１とを有している。この第１の係止ピン１０２０と第２の係止ピン１０２１の先端とは丸く形成されている。一方、ベース部１２０にはこの第１の係止ピン１０２０及び第２の係止ピン１０２１を受け入れることができる位置にピン孔１２０２が形成されている。図１０Ａに示されているように、第２のコネクタ手段１２が垂直方向と略一致する上向き姿勢で第１の係止ピン１０２０がピン孔１２０２にはめ込まれており、そして第２のコネクタ手段１２が水平方向と略一致する横向き姿勢で第２の係止ピン１０２１がピン孔１２０２にはめ込まれている。更に、図１０Ｂに示されているように、どちらの係止ピンもピン孔１２０２にはめ込まれておらず、第２のコネクタ手段１２が下向きになる姿勢まで回動することも可能である。
【００４７】
このように、本発明の第２のコネクタ手段１２は上向き姿勢と横向き姿勢と下向き姿勢との間で揺動して切り替えることができ、そして第１のコネクタ手段１１及び第１のコネクタ手段１１が固定されているベッドユニット２を支持する上向き姿勢では挿入ユニット１２１が第１のコネクタ手段１１に形成される収容体１１１に受け入れられて収容されるので、第２のコネクタ手段１２の構造的強度が特別に強くなくても、第１のコネクタ手段１１の収容体１１で挿入ユニット１２１を包む構成により強度不足を補強できるので、第１のコネクタ手段１１を支持する第２のコネクタ手段１２が簡単に折れたり故障したりせず、より安全な手押し車の積載ユニット用コネクタ及び該コネクタを用いるベビーカーを提供することができる。
【産業上の利用可能性】
【００４８】
上記構成により、本発明は第２のコネクタ手段に形成される係止面を利用し、第２のコネクタ手段が第１のコネクタ手段から離れるまで係止ユニットを解放位置に係止し続けるので、使用者は手で係止ユニットを解除位置に保持する必要が無く、片手で係止ユニットを操作して各コネクタの係止状態を１つずつ解除していくことができるので、便利かつ安全な手押し車の積載ユニット用コネクタ及び該コネクタを用いるベビーカーを提供することができる。
【００４９】
更に、本発明はサイドフレームの表面に没入するように配置構成されている係止ピンと係止ピンに対応して受け入れることができるように第２のコネクタ手段に設けられているピン孔を形成し、横向き姿勢から下向き姿勢に切り替えることができるように構成することにより、ベッドユニットを支持することが最初から出来ないようになっており、折れるなどの状況も起こり得ないので、より安全な手押し車の積載ユニット用コネクタ及び該コネクタを用いるベビーカーを提供することができる。
【００５０】
従って、本発明は便利且つ安全で有用な手押し車の積載ユニット用コネクタ及び該コネクタを用いるベビーカーを提供することができるので、特にカートフレームから積載ユニットを頻繁に取り外す必要がある手押し車、例えばベビーカーなどに適している。
【符号の説明】
【００５１】
１０  カートフレーム
１００  サイドフレーム
１０２  設置スリーブ
１０２０  第１の係止ピン
１０２１  第２の係止ピン
１１  第１のコネクタ手段
１１０１  開口縁
１１１  収容体
１１１０  収容空間
１１１Ａ  第１の開口
１１１Ｂ  第２の開口
１１１Ｃ  第３の開口
１１２  フェンス
１１３  枢接壁
１１４  ばね
１２  第２のコネクタ手段
１２０  ベース部
１２０１  支持面
１２０２  ピン孔
１２０３  枢接軸
１２１  挿入ユニット
１２１Ａ  表面
１２１Ｂ  裏面
１２１Ｃ  側面
１２３  中央突起
１２４  突出タブ
１２６  案内面
１２７  係止面
１２８  係止孔
１３  係止ユニット
１３０  枢接孔
１３１  サポーターアーム
１３２  側面プレート
１３３  カム接触子
１３４  係止アーム
１３７  操作プレート
２  ベッドユニット
【図１】
2011240924.tif 000003
【図２】
2011240924.tif 000004
【図３】
2011240924.tif 000005
【図４】
2011240924.tif 000006
【図５】
2011240924.tif 000007
【図６】
2011240924.tif 000008
【図７】
2011240924.tif 000009
【図８】
2011240924.tif 000010
【図９】
2011240924.tif 000011
【図１０Ａ】
2011240924.tif 000012
【図１０Ｂ】
2011240924.tif 000013
【図１１】
2011240924.tif 000014